(57)【要約】【課題】  別個の装置を必要とせず、コンピューターに設定された日付および時刻から容易に言語を設定することのできるプロジェクターおよびその言語設定方法を提供する。【解決手段】  コンピューター１２に問い合わせを行いコンピューター１２に設定されている日時および時刻を取得する制御部２と、所定の時差が生じる地域ごとのタイムゾーンと当該タイムゾーンに対応する国の言語とをあらかじめ対応付けて記憶する記憶部９と、制御部２による各種情報を表示させる表示部１０と、日付および時刻を示すリアルタイムクロック８と、を備え、制御部２は、コンピューター１２から取得したコンピューター１２の日付および時刻と、リアルタイムクロック８の日付および時刻とを比較して、コンピューター１２の日付および時刻との時間差に対応するタイムゾーンを決定し、当該決定したタイムゾーンに対応した言語を記憶部から読み出して表示部１０に表示させるものである。【選択図】      図１
2011180324.tif 000002
【特許請求の範囲】
【請求項１】
コンピューターと通信可能に接続されたプロジェクターであって、
前記コンピューターに問い合わせを行い、前記コンピューターに設定されている日時および時刻を取得する制御部と、
所定の時差が生じる地域ごとのタイムゾーンと、当該タイムゾーンに対応する国の言語とを、あらかじめ対応付けて記憶する記憶部と、
前記制御部による各種情報を表示させる表示部と、
日付および時刻を示すリアルタイムクロックと、を備え、
前記制御部は、前記コンピューターから取得した前記コンピューターの日付および時刻と、前記リアルタイムクロックの日付および時刻とを比較して、前記コンピューターの日付および時刻との時間差に対応するタイムゾーンを決定し、当該決定したタイムゾーンに対応した言語を前記記憶部から読み出して、前記表示部に表示させることを特徴とするプロジェクター。
【請求項２】
前記表示部に表示された言語を選択するためのキー入力部をさらに備え、前記制御部は、前記キー入力部により選択された言語を使用言語として設定することを特徴とする請求項１に記載のプロジェクター。
【請求項３】
前記制御部は、前記コンピューターに設定されている言語を取得し、当該取得したコンピューターの設定言語と、前記コンピューターの日付および時刻との時間差に基づいて決定したタイムゾーンに対応した言語とを比較し、前記コンピューターの設定言語が前記タイムゾーンに対応する言語に含まれるときに、当該コンピューターの設定言語を使用言語として設定することを特徴とする請求項１に記載のプロジェクター。
【請求項４】
コンピューターと通信可能に接続されたプロジェクターにおける言語設定方法であって、
前記コンピューターに問い合わせを行い、前記コンピューターに設定されている日時および時刻を取得する処理と、
前記コンピューターから取得した前記コンピューターの日付および時刻と、リアルタイムクロックの日付および時刻とを比較する処理と、
前記コンピューターの日付および時刻との時間差に対応するタイムゾーンを決定する処理と、
前記タイムゾーンに対応した言語を表示部に表示させる処理と、を備えていることを特徴とする言語設定方法。
【請求項５】
前記表示部に表示された言語を選択する処理と、選択された言語を使用言語として設定する処理と、をさらに備えていることを特徴とする請求項４に記載の言語設定方法。
【請求項６】
前記コンピューターに設定されている言語を取得する処理と、
当該取得したコンピューターの設定言語と、前記コンピューターの日付および時刻との時間差に基づいて決定したタイムゾーンに対応した言語とを比較する処理と、
前記コンピューターの設定言語が前記タイムゾーンに対応する言語に含まれるときに、当該コンピューターの設定言語を使用言語として設定する処理と、
をさらに備えていることを特徴とする請求項４に記載の言語設定方法。
【発明の詳細な説明】
【技術分野】
【０００１】
本発明はプロジェクターおよび言語設定方法に係り、特に、プロジェクターが接続されるコンピューターに応じてプロジェクターの言語を設定することを可能としたプロジェクターおよび言語設定方法に関するものである。
【背景技術】
【０００２】
従来から、プロジェクターの初回起動時における言語は、英語が初期値として設定されている。そのため、英語圏の利用者がプロジェクターを操作する場合には、問題はないが、英語圏以外の利用者が操作する場合には、プロジェクターの言語設定を母国語の言語に変更して設定し直す必要があった。近年、プロジェクターの言語設定項目がわかりやすいように、アイコンを工夫してユーザービリティーの向上を図るようにはしているが、それでも、言語設定項目を見つけて言語設定を行うという操作は必要であり、他国語表示されたメニューの中から言語設定項目を見つけなければならず、使い勝手が極めて悪いものであった。
【０００３】
そのため、使用言語を設定するための技術として、従来から、表示言語自動設定装置により、パーソナルコンピューターに対して使用言語の問合せコマンドを送信し、パーソナルコンピューターから送られる使用言語の応答コマンドに基づいて、多言語用ＯＳＤデータ記憶部からＯＳＤデータを読み出し、表示装置に出力するようにした技術が開示されている（例えば、特許文献１参照）。
【先行技術文献】
【特許文献】
【０００４】
【特許文献１】特開２００５−０２０６１２号公報
【発明の概要】
【発明が解決しようとする課題】
【０００５】
しかしながら、前記特許文献１に記載の技術においては、使用言語の設定は可能であるが、コンピューターおよび表示装置とは別個に言語自動設定装置が必要となり、システムが複雑化してしまうという問題を有している。
【０００６】
本発明は前記した点に鑑みてなされたものであり、別個の装置を必要とせず、コンピューターに設定された日付および時刻から容易に言語を設定することのできるプロジェクターおよび言語設定方法を提供することを目的とするものである。
【課題を解決するための手段】
【０００７】
前記目的を達成するために、本発明に係るプロジェクターは、コンピューターと通信可能に接続されたプロジェクターであって、前記コンピューターに問い合わせを行い、前記コンピューターに設定されている日時および時刻を取得する制御部と、所定の時差が生じる地域ごとのタイムゾーンと、当該タイムゾーンに対応する国の言語とを、あらかじめ対応付けて記憶する記憶部と、前記制御部による各種情報を表示させる表示部と、日付および時刻を示すリアルタイムクロックと、を備え、前記制御部は、前記コンピューターから取得した前記コンピューターの日付および時刻と、前記リアルタイムクロックの日付および時刻とを比較して、前記コンピューターの日付および時刻との時間差に対応するタイムゾーンを決定し、当該決定したタイムゾーンに対応した言語を前記記憶部から読み出して、前記表示部に表示させることを特徴とする。
【０００８】
本発明によれば、制御部により、コンピューターに問い合わせをして取得したコンピューターの日時および時刻と、リアルタイムクロックの日付および時刻とを比較し、コンピューターの設定とプロジェクターの設定との時間差を求め、時間差に対応したタイムゾーンに含まれる言語の候補を表示部に表示させるようにしているので、表示部に表示された言語の候補から容易にプロジェクターの言語を選択することができる。しかも、従来のように、言語を設定するための特別な言語自動設定装置などが不要であり、システムが複雑化してしまうことがない。
【０００９】
また、前記プロジェクターにおいて、前記表示部に表示された言語を選択するためのキー入力部をさらに備え、前記制御部は、前記キー入力部により選択された言語を使用言語として設定するものであることを特徴とする。
【００１０】
本発明によれば、制御部により、表示部に表示された言語の候補の中から、キー入力部により選択された言語を使用言語として設定するようにしているので、容易にプロジェクターの言語を設定することができる。
【００１１】
また、前記プロジェクターにおいて、前記制御部は、前記コンピューターに設定されている言語を取得し、当該取得したコンピューターの設定言語と、前記コンピューターの日付および時刻との時間差に基づいて決定したタイムゾーンに対応した言語とを比較し、前記コンピューターの設定言語が前記タイムゾーンに対応する言語に含まれるときに、当該言語を使用言語として設定することを特徴とする。
【００１２】
本発明によれば、制御部により、コンピューターから取得したコンピューターの設定言語と、コンピューターの日付および時刻との時間差に対応するタイムゾーンの言語とを比較し、コンピューターの設定言語がタイムゾーンに対応する言語に含まれるときに、当該コンピューターの設定言語を使用言語として設定するようにしているので、プロジェクターの言語を自動的かつ確実に設定することができる。
【００１３】
また、コンピューターと通信可能に接続されたプロジェクターにおける言語設定方法であって、前記コンピューターに問い合わせを行い、前記コンピューターに設定されている日時および時刻を取得する処理と、前記コンピューターから取得した前記コンピューターの日付および時刻と、リアルタイムクロックの日付および時刻とを比較する処理と、前記コンピューターの日付および時刻との時間差に対応するタイムゾーンを決定する処理と、前記タイムゾーンに対応した言語を表示部に表示させる処理と、を備えていることを特徴とする。
【００１４】
本発明によれば、コンピューターに問い合わせをして取得したコンピューターの日時および時刻と、リアルタイムクロックの日付および時刻とを比較し、コンピューターの設定とプロジェクターの設定との時間差を求め、時間差に対応したタイムゾーンに含まれる言語の候補を表示部に表示させるようにしているので、表示部に表示された言語の候補から容易にプロジェクターの言語を選択することができる。しかも、従来のように、言語を設定するための特別な言語自動設定装置などが不要であり、システムが複雑化してしまうことがない。
【００１５】
また、前記プロジェクターの言語設定方法において、前記表示部に表示された言語を選択する処理と、選択された言語を使用言語として設定する処理と、を備えていることを特徴とする。
【００１６】
本発明によれば、表示部に表示された言語の候補の中から、キー入力部により選択された言語を使用言語として設定するようにしているので、容易にプロジェクターの言語を設定することができる。
【００１７】
また、前記プロジェクターの言語設定方法において、前記コンピューターに設定されている言語を取得する処理と、当該取得したコンピューターの設定言語と、前記コンピューターの日付および時刻との時間差に基づいて決定したタイムゾーンに対応した言語とを比較する処理と、前記コンピューターの設定言語が前記タイムゾーンに対応する言語に含まれるときに、当該コンピューターの設定言語を使用言語として設定する処理と、を備えていることを特徴とする。
【００１８】
本発明によれば、コンピューターから取得したコンピューターの設定言語と、コンピューターの日付および時刻との時間差に対応するタイムゾーンの言語とを比較し、コンピューターの設定言語がタイムゾーンに対応する言語に含まれるときに、当該コンピューターの設定言語を使用言語として設定するようにしているので、プロジェクターの言語を自動的かつ確実に設定することができる。
【図面の簡単な説明】
【００１９】
【図１】本発明に係るプロジェクターの実施形態を示す構成図である。
【図２】本発明に係るプロジェクターの言語設定方法の第１実施形態の動作を示すフローチャート。
【図３】本発明に係るプロジェクターの言語設定方法の第２実施形態の動作を示すフローチャート。
【発明を実施するための形態】
【００２０】
以下、本発明の実施の形態について図面を参照しながら説明する。
【００２１】
図１は、本発明に係るプロジェクターの第１実施形態を示す概略構成図である。本実施形態においては、プロジェクター１には、制御部２が設けられており、制御部２には、画像入力部３に入力される画像情報の台形補正、画質調整、拡大・縮小調整、シャープネス調整などの画像処理を行う画像処理部４が接続されている。画像処理部４には、画像処理部４により画像処理された画像情報に基づいて図示しないスクリーンなどに画像を投射する液晶パネル、液晶パネルを照明する照明装置、投射光学系などからなる画像投射部５が接続されている。また、画像処理部４には、所定の画像処理を行う際に、画像情報を一時的に格納するための画像メモリ６が接続されている。
【００２２】
また、制御部２には、所定のキー操作を行うためのキー入力部７が接続されており、制御部２には、プロジェクター１に設定された日付および時刻を示すためのリアルタイムクロック８が接続されており、出荷時においては、例えば協定世界時（ＵＴＣ）に設定されている。さらに、制御部２には、記憶部９が接続されており、この記憶部９には、例えば、全世界において１時間の時差が生じる地域ごとのタイムゾーンを設定し、これら各タイムゾーンに対応する国の言語があらかじめ記憶されている。また、制御部２には、各種情報を表示するための表示部１０が接続されている。
【００２３】
また、制御部２には、第１外部機器接続部１１が接続されており、プロジェクター１には、第１外部機器接続部１１およびコンピューター１２の第２外部機器接続部１３を介してコンピューター１２が接続されている。接続手段としては、ＵＳＢ接続、ＬＡＮ接続、無線ＬＡＮ接続などが考えられる。また、コンピューター１２には、プロジェクター１からの問い合わせに応じて、コンピューター１２の日付および時刻をプロジェクター１に通知するためのプログラムがあらかじめ組み込まれている。
【００２４】
制御部２は、第１外部接続機器１１および第２外部機器接続部１３を介してコンピューター１２に問い合わせを行い、コンピューター１２に設定されている日時および時刻を取得し、このコンピューター１２の日付および時刻と、プロジェクター１のリアルタイムクロック８の日付および時刻とを比較し、コンピューター１２の設定とプロジェクター１の設定との時間差を求めるように構成されている。さらに、制御部２は、コンピューター１２の設定とプロジェクター１の設定との時間差が一定の時間内でない場合には、時間差に対応したタイムゾーンおよびその前後の時差に対応するタイムゾーンに含まれる言語の候補を表示部１０に表示させるように構成されている。なお、時間差が一定時間内であるか否かは、例えば、時間差が±３０分以内であるか否かで判断されるものである。また、時間差に対応したタイムゾーンの前後の時差に対するタイムゾーンに含まれる言語の候補を表示させるか否かは、任意に設定することができるものである。
【００２５】
次に、前述のプロジェクター１を用いた言語設定方法について、図２に示すフローチャートを参照して説明する。なお、図２に示すフローチャートは、タイムゾーンが１時間ごとに設定されている場合について説明したものである。
【００２６】
まず、プロジェクター１がコンピューター１２に接続されているか否か確認し（ステップＳ１）、プロジェクター１がコンピューター１２に接続されている場合には、プロジェクター１からコンピューター１２に問い合わせを行い、コンピューター１２に設定されている日付と時刻を取得する（ステップＳ２）。制御部２は、コンピューター１２の日付、時刻と、プロジェクター１のリアルタイムクロック８によりプロジェクター１の日付、時刻とを比較する（ステップＳ３）。
【００２７】
そして、制御部２は、時間差がある場合に（ステップＳ３：差がある）、さらに時間差が±３０分以内か否か判断し（ステップＳ４）、時間差が±３０分以内でない場合には（ステップＳ４：ＮＯ）、時間差に対応したタイムゾーンおよびその前後の時差に対応するタイムゾーンに設定されている言語をそれぞれ表示部１０に表示させる（ステップＳ５）。そして、プロジェクター１の利用者がキー入力部７を操作して、表示部１０に表示されたいずれかの言語を選択したら（ステップＳ６）、その言語をプロジェクター１の言語として設定する（ステップＳ７）。
【００２８】
また、プロジェクター１がコンピューター１２に接続されていない場合（ステップＳ１：ＮＯ）、コンピューター１２の日付、時刻と、プロジェクター１の日付、時刻との差がない場合（ステップＳ３：差がない）、時間差があっても±３０分以内の場合（ステップＳ４：ＹＥＳ）、表示部１０の言語を選択せずにキャンセルした場合には（ステップＳ６：キャンセル）、言語の選択をしないで、プロジェクター１を通常起動させる（ステップＳ８）。
【００２９】
以上述べたように、本実施形態においては、制御部２により、コンピューター１２に問い合わせをして取得したコンピューター１２の日時および時刻と、プロジェクター１の日付および時刻とを比較し、コンピューター１２の設定とプロジェクター１の設定との時間差を求め、コンピューター１２の設定とプロジェクター１の設定との時間差が一定の時間内でない場合に、時間差に対応したタイムゾーンに含まれる言語の候補を表示部１０に表示させるようにしているので、表示部１０に表示され言語の候補から使用したい言語を選択するだけで、容易にプロジェクター１の言語設定を行うことができる。しかも、従来のように、言語を設定するための特別な言語自動設定装置などが不要であり、システムが複雑化してしまうことがない。
【００３０】
次に、本発明の第２実施形態について説明する。
【００３１】
本実施形態におけるプロジェクター１の構成は、図１に示すものと同様であるが、制御部２における制御が異なるものである。
【００３２】
本実施形態においては、制御部２は、コンピューター１２に問い合わせを行い、コンピューター１２に設定されている日時および時刻を取得するとともに、コンピューター１２に設定されている言語を取得するように構成されている。そして、制御部２は、コンピューター１２から取得した日付および時刻と、プロジェクター１のリアルタイムクロック８の日付および時刻とを比較し、コンピューター１２の設定とプロジェクター１の設定との時間差を求め、コンピューター１２の設定とプロジェクター１の設定との時間差が一定の時間内でない場合には、時間差に対応したタイムゾーンおよびその前後の時差に対応するタイムゾーンに含まれる言語をリストアップするように構成されている。
【００３３】
さらに、本実施形態においては、制御部２は、コンピューター１２から取得したコンピューター１２の設定言語と、リストアップした言語とを比較し、コンピューター１２の設定言語がリストアップしたタイムゾーンに対応する言語に含まれるときに、当該言語を使用言語として設定するように構成されている。また、コンピューター１２の設定言語がリストアップした言語に含まれない場合には、前記第１実施形態と同様に、リストアップした言語を表示部１０に表示させるように構成されている。
【００３４】
次に、前述のプロジェクター１を用いた制御方法について、図３に示すフローチャートを参照して説明する。
【００３５】
まず、プロジェクター１がコンピューター１２に接続されているか否か確認し（ステップＳ１０）、プロジェクター１がコンピューター１２に接続されている場合には、プロジェクター１からコンピューター１２に問い合わせを行い、コンピューター１２に設定されている日付、時刻および言語を取得する（ステップＳ１１）。次に、制御部２は、コンピューター１２の日付、時刻と、プロジェクター１のリアルタイムクロック８によりプロジェクター１の日付、時刻とを比較する（ステップＳ１２）。
【００３６】
そして、制御部２は、時間差がある場合に（ステップＳ１２：差がある）、さらに時間差が±３０分以内か否か判断し（ステップＳ１３）、時間差が±３０分以内でない場合には（ステップＳ１３：ＮＯ）、時間差に対応したタイムゾーンおよびその前後の時差に対応するタイムゾーンに設定されている言語をリストアップする（ステップＳ１４）。制御部２は、コンピューター１２の設定言語と、リストアップされた言語とを比較し（ステップＳ１５）、コンピューター１２の設定言語がリストアップされた言語に含まれる場合には、当該言語をプロジェクター１の言語に設定する（ステップＳ１６）。
【００３７】
一方、コンピューター１２の設定言語がリストアップされた言語に含まれない場合には、リストアップされた言語を表示部１０に表示させる（ステップＳ１７）。そして、プロジェクター１の利用者がキー入力部７を操作して、表示部１０に表示されたいずれかの言語を選択したら（ステップＳ１８）、その言語をプロジェクター１の言語として設定する（ステップＳ１９）。
【００３８】
また、プロジェクター１がコンピューター１２に接続されていない場合（ステップＳ１０：ＮＯ）、コンピューター１２の日付、時刻と、プロジェクター１の日付、時刻との差がない場合（ステップＳ１２：差がない）、時間差があっても±３０分以内の場合（ステップＳ１３：ＹＥＳ）、表示部１０の言語を選択せずにキャンセルした場合には（ステップＳ１８：キャンセル）、言語の選択をしないで、プロジェクター１を通常起動させる（ステップＳ２０）。
【００３９】
以上述べたように、本実施形態においては、制御部２により、コンピューター１２から取得したコンピューター１２の設定言語と、コンピューター１２の日付および時刻との時間差に対応するタイムゾーンの言語とを比較し、コンピューター１２の設定言語がタイムゾーンに対応する言語に含まれるときに、当該コンピューター１２の設定言語を使用言語として設定するようにしているので、プロジェクター１の言語を自動的に設定することができる。また、コンピューター１２の設定言語がリストアップした言語に含まれない場合でも、リストアップした言語を表示部１０に表示させるようにしているので、表示部１０に表示され言語の候補から使用したい言語を選択するだけで、容易にプロジェクター１の言語設定を行うことができる。
【００４０】
なお、本発明は前記実施形態に限定されるものではなく、本発明の趣旨に基づいて種々の変形が可能である。
例えば、前記実施形態において表示部１０は必須ではなく、リストアップした言語を画像投射部５から投射表示してもよい。すなわち、画像投射部５が表示部１０として機能してもよい。
【符号の説明】
【００４１】
１  プロジェクター、２  制御部、３  画像入力部、４  画像処理部、５  画像投射部、６  画像メモリ、７  キー入力部、８  リアルタイムクロック、９  記憶部、１０  表示部、１１  第１外部機器接続部、１２  コンピューター、１３  第２外部機器接続部。
【図１】
2011180324.tif 000003
【図２】
2011180324.tif 000004
【図３】
2011180324.tif 000005